(57)【要約】【課題】一波単信方式を採用した非常送のデジタル無線システムに使用する無線機において、混信の発生を防止するため、チャンネルの使用状況を聴覚的に簡単に確認できるようにする。【解決手段】無線機のコントローラは、無線信号に含まれるパケットのヘッダ部から、呼び出し先に関するＩＤ情報およびデータ部に含まれるデータの種類を識別する情報を取り出して、その内容を解析し、無線信号を受信していないとき（Ｓ２でＮｏ）と、自局宛でないパケットを含む無線信号を受信し（Ｓ７でＮｏ）、かつパケットのデータ部にパケット化されたデータが含まれるとき（Ｓ１０でＮｏ）で、スピーカ１２から出力する音声を変える（Ｓ５、Ｓ１２）。【選択図】図３
2013098684.tif 000002
【特許請求の範囲】
【請求項１】
異なる周波数が割り当てられた複数のチャンネルから任意のチャンネルを選択し、このチャンネルを用いて無線信号を送受信するデジタル無線システムに使用される無線機であって、
アンテナで受信した前記無線信号を復調してパケットを再生し、このパケットに含まれる音声データまたはパケット化されたデータを出力する受信部と、
前記受信部から出力された音声データを復号化およびＤ／Ａ変換して音声信号を再生する音声コーデックと、
前記音声コーデックで再生された音声信号を音声として出力するスピーカと、
前記パケットのヘッダ部から、呼び出し先に関するＩＤ情報およびデータ部に含まれるデータの種類を識別する情報を取り出して、その内容を解析するコントローラと、を備え、
前記コントローラは、前記チャンネルの使用状況を確認するために前記スピーカから出力する音声を、前記無線信号を受信していないときと、自局宛でないパケットを含む無線信号を受信し、かつ前記パケットのデータ部にパケット化されたデータが含まれるときで変えることを特徴とする無線機。
【請求項２】
前記スピーカから出力される前記チャンネルの使用状況を確認する音声は、モニターキーが押されたときにのみ前記スピーカから出力されることを特徴とする、請求項１に記載の無線機。
【請求項３】
前記無線信号を受信していないとき、前記スピーカら擬似ランダム音が出力され、
自局宛でないパケットを含む無線信号を受信し、かつ前記パケットのデータ部にパケット化されたデータが含まれるとき、前記スピーカからビープ音が出力されることを特徴とする、請求項１または２に記載の無線機。
【請求項４】
音色の異なる複数の音声信号を生成する音声信号発生器を更に備え、前記コントローラは、前記チャンネルの使用状況に応じた音声信号の生成を前記音声信号発生器に指示することを特徴とする、請求項１ないし３のいずれかに記載の無線機。
【請求項５】
前記コントローラは、少なくともＣＰＵ、ＲＯＭ、ＲＡＭおよび不揮発性メモリを含むと共に、前記音声信号発生器の機能を実現するプログラムが前記ＲＯＭに格納され、前記ＲＯＭから読み出されたプログラムを前記ＣＰＵで実行することを特徴とする、請求項４に記載の無線機。
【請求項６】
コンピュータを、
異なる周波数が割り当てられた複数のチャンネルから任意のチャンネルを選択し、このチャンネルを用いて無線信号を送受信するデジタル無線システムに使用される無線機のコントローラとして機能させるコンピュータプログラムであって、
前記コントローラは、音声データまたはパケット化されたデータを含むパケットのヘッダ部から呼び出し先に関するＩＤ情報およびデータ部に含まれるデータの種類に関する情報を取り出して、その内容を解析し、
前記チャンネルの使用状況を確認するためにスピーカから出力する音声を、前記無線信号を受信していないときと、自局宛でないパケットを含む無線信号を受信し、かつ前記パケットのデータ部にパケット化されたデータが含まれるときで変えることを特徴とするコンピュータプログラム。
【発明の詳細な説明】
【技術分野】
【０００１】
本発明は、一波単信方式を採用した非常送のデジタル無線システムにおいて使用する無線機、およびその無線機の機能を実現するコンピュータプログラムに関する。
【背景技術】
【０００２】
一般に、デジタル無線システムでは、音声や文字などのデータを伝送する各チャンネルのそれぞれに１つの周波数を割り当てる一波単信方式が採用されている（例えば、特許文献１参照）。なお、一波単信方式のデジタル無線システムについては、例えば狭帯域デジタル通信方式の標準規格であるＡＲＩＢ  ＳＴＤ−Ｔ９８に詳しく規定されている。
【０００３】
上述のデジタル無線システムでは、音声通信、すなわち送信するパケットに無線機のマイクから入力されたユーザの音声を含む場合と、データ通信、すなわち文字や音声・画像等がパケット化されたデータを含む場合とがある。
【０００４】
また一波単信方式の非常送のデジタル無線システムにおいては、混信を避けるために、選択したチャンネルの使用状況を確認する必要がある。
【０００５】
チャンネルの使用状況は、無線機本体のパネルの表示や受信ランプによって確認できるが、一般的な使用形態である、スピーカ付きのハンドマイク等を使用している場合、このような視覚的な方法による確認では操作性に問題がある。
【先行技術文献】
【特許文献】
【０００６】
【特許文献１】特開２００９−７７０７７号公報
【発明の概要】
【発明が解決しようとする課題】
【０００７】
選択したチャンネルの使用状況を聴覚的に確認する方法として、従来の無線機では、チャンネルが使用中で、送信されたパケットに音声データが含まれている場合には、復号化された音声をスピーカから再生していた。
【０００８】
しかしこの方法では、チャンネルが使用されていても、パケットに音声データ以外のデータ、例えば上述したパケット化されたデータ（以降「パケット化データ」という）が含まれている場合には、チャンネルが使用されていない場合と同様にスピーカから何も出力されず、両者の区別がつかないため、混信の防止には役立たなかった。
【０００９】
本発明はこのような問題点に鑑みてなされたもので、パケットに音声データ以外のデータが含まれている場合を含めて、チャンネルの使用状況を聴覚的に簡単に確認できる無線機を提供することを目的とする。
【課題を解決するための手段】
【００１０】
上記目的を達成するため本発明にかかる無線機は、異なる周波数が割り当てられた複数のチャンネルから任意のチャンネルを選択し、このチャンネルを用いて無線信号を送受信するデジタル無線システムに使用される無線機であって、
アンテナで受信した前記無線信号を復調してパケットを再生し、このパケットに含まれる音声データまたはパケット化されたデータを出力する受信部と、
前記受信部から出力された音声データを復号化およびＤ／Ａ変換して音声信号を再生する音声コーデックと、
前記音声コーデックで再生された音声信号を音声として出力するスピーカと、
前記パケットのヘッダ部から、呼び出し先に関するＩＤ情報およびデータ部に含まれるデータの種類を識別する情報を取り出して、その内容を解析するコントローラと、を備え、
前記コントローラは、前記チャンネルの使用状況を確認するために前記スピーカから出力する音声を、前記無線信号を受信していないときと、自局宛でないパケットを含む無線信号を受信し、かつ前記パケットのデータ部にパケット化されたデータが含まれるときで変えることを特徴とする。
【００１１】
ここで、前記スピーカから出力される前記チャンネルの使用状況を確認する音声は、モニターキーが押されたときにのみ前記スピーカから出力されることが好ましい。
【００１２】
また前記無線信号を受信していないとき、前記スピーカら擬似ランダム音が出力され、自局宛でないパケットを含む無線信号を受信し、かつ前記パケットのデータ部にパケット化されたデータが含まれるとき、前記スピーカからビープ音が出力されることが好ましい。
【００１３】
本発明にかかる無線機は、音色の異なる複数の音声信号を生成する音声信号発生器を更に備え、前記コントローラは、前記チャンネルの使用状況に応じた音声信号の生成を前記音声信号発生器に指示することが好ましい。
【００１４】
なお、前記コントローラは、少なくともＣＰＵ、ＲＯＭ、ＲＡＭおよび不揮発性メモリを含むと共に、前記音声信号発生器の機能を実現するプログラムが前記ＲＯＭに格納され、前記ＲＯＭから読み出されたプログラムを前記ＣＰＵで実行するようにしても良い。
【００１５】
また本発明にかかるコンピュータプログラムは、コンピュータを、異なる周波数が割り当てられた複数のチャンネルから任意のチャンネルを選択し、このチャンネルを用いて無線信号を送受信するデジタル無線システムに使用される無線機のコントローラとして機能させるコンピュータプログラムであって、
前記コントローラは、音声データまたはパケット化されたデータを含むパケットのヘッダ部から呼び出し先に関するＩＤ情報およびデータ部に含まれるデータの種類に関する情報を取り出して、その内容を解析し、
前記チャンネルの使用状況を確認するためにスピーカから出力する音声を、前記無線信号を受信していないときと、自局宛でないパケットを含む無線信号を受信し、かつ前記パケットのデータ部にパケット化されたデータが含まれるときで変えることを特徴とする。
【発明の効果】
【００１６】
本発明では、チャンネルの使用状況を確認するためにスピーカから出力する音声の音色を、チャンネルが使用されていないときと、送信されたパケットにパケット化データが含まれているときで変えているため、混信の発生を防ぐための確認操作がより容易に行える。
【図面の簡単な説明】
【００１７】
【図１】本発明の実施の形態にかかる無線機の構成を示すブロック図である。
【図２】無線機によって送信されるパケットの構成を示す図である。
【図３】チャンネルの使用状況に応じてスピーカから異なる音声を出力させる際の手順を示すフローチャートである。
【発明を実施するための形態】
【００１８】
以下、本発明の実施の形態にかかる無線機について、図面を参照しながら説明する。
【００１９】
＜無線機の構成＞
図１に、本実施の形態にかかる無線機、すなわち一波単信方式を採用した非常送のデジタル無線システムにおいて使用する無線機の構成を示す。無線機１は、マイク１１、スピーカ１２、ＡＦ増幅器１３、音声コーデック１４、送信部１５、送受切替部１６、アンテナ１７、受信部１８、インターフェース部１９、コントローラ２１、操作部２６、表示部２９および音声信号発生器３０で構成されている。図中、太い矢印は音声信号やデータの流れを示し、細い矢印は制御系統の信号の流れを示している。
【００２０】
無線機の各部の構成について説明する前に、一波単信方式の非常送のデジタル無線システムについて簡単に説明する。前述したように、一波単信方式のデジタル無線システムにおいては、音声や文字等のデータを伝送するチャンネル毎に１つの周波数が割り当てられている。通信を希望する無線機のユーザは、任意のチャンネルを選択し、そのチャンネルの周波数でパケットを送信する必要がある。
【００２１】
また送信するパケットに、無線機のマイクから入力されたユーザの音声を含めること（音声通信）以外に、文字や音声・画像等がパケット化されたパケット化データを含めることができる（データ通信）。音声を送る場合には、パケットのデータ部に音声データが含まれ、それ以外の場合には、データ部にパケット化データが含まれる。パケット化データは、イーサネット（登録商標）やインターネットの通信プロトコルであるＴＣＰ／ＩＰに準拠して作成されたものである。
【００２２】
次に、無線機１の各部を説明する。マイク１１は、送信用の音声を入力としてアナログ音声信号を生成し、その音声信号をＡＦ増幅器１３に出力する。一方、スピーカ１２は、ＡＦ増幅器１３から出力されたアナログ音声信号を音声に変換する。
【００２３】
ＡＦ（Audio Frequency）増幅器１３は、マイク１１から入力されたアナログ音声信号を増幅して音声コーデック１４に供給する。また、音声コーデック１４から出力された受信音声のアナログ音声信号、および音声信号発生器３０から出力された音声信号を増幅してスピーカ１２に出力する。
【００２４】
音声コーデック１４は、ＡＦ増幅器１３から供給されたアナログ音声信号をＡ／Ｄ（アナログデジタル）変換および符号化して送信部１５に出力する。また音声コーデック１４は、受信部１８から供給されたデジタル音声信号を復号化し、更にＤ／Ａ（デジタルアナログ）変換した後、ＡＦ増幅器１３に出力する。
【００２５】
送信部１５は、音声コーデック１４から供給されたデジタル音声信号、インターフェース部１９またはコントローラ２１から供給されたパケット化データに無線通信用のヘッダを付すと共に、後述するＰＴＴスイッチ２７の出力に基づいて分割し、図２に示す送信用のパケットを生成する。送信部１５は更に、コントローラ２１からの指示に従って送信周波数を切り替え、パケットを構成するデジタルデータで搬送波を変調し、送受切替部１６を介してアンテナ１７から送信する。パケットの構成については、後に図２を用いて詳述する。
【００２６】
送受切替部１６は、ＰＴＴスイッチ２７が押されてオンになると送信部１５からの送信信号をアンテナ１７に導き、ＰＴＴスイッチ２７が放されてオフになるとアンテナ１７の受信信号を受信部１８に導く。
【００２７】
受信部１８は、コントローラ２１からの指示に従って受信周波数を切り替え、受信周波数に同調して増幅し、更に受信信号を復調してパケットを再生する。そして再生したパケットからヘッダ部を取り除き、音声データについては音声コーデック１４に供給し、パケット化データ（例えば、イーサネット［登録商標］に準拠したパケット）についてはインターフェース部１９またはコントローラ２１に供給する。
【００２８】
インターフェース部１９は外部接続端子２０に接続され、外部機器（ＧＰＳレシーバ、パーソナルコンピュータ等）から供給されるパケット化データを送信部１５に供給する。またインターフェース部１９は、受信部１８から供給されたパケット化データを、外部接続端子２０を介して外部機器（パーソナルコンピュータ等）に供給する。
【００２９】
コントローラ２１は無線機１の各部の動作を制御する。コントローラ２１は、ＣＰＵ（Central Processing Unit）２２、ＣＰＵ２２の動作を規定するプログラムを記憶したＲＯＭ（Read Only Memory）２３、ＣＰＵ２２のワークメモリとして機能するＲＡＭ（Random Access Memory）２４、および複数のチャンネルの周波数や自局のＩＤ情報等を格納した不揮発性メモリ２５を備えている。
【００３０】
またコントローラ２１は、簡単なメッセージを含むパケット化データを作成し処理する機能を備えている。コントローラ２１は、操作部２６から入力されたメッセージをコントローラ２１でパケット化データに変換し、送信部１５に供給する。また、受信部１８で取り出されたパケット化データに自局宛のメッセージが含まれている場合、コントローラ２１は、そのパケット化データを取り込み、パケットに含まれるメッセージを取り出して表示部２９に表示する。
【００３１】
操作部２６は複数のスイッチやキーで構成され、種々の入力信号や指示信号、更に簡単なメッセージをコントローラ２１に入力するために用いられる。また操作部２６には、ＰＴＴ（Press To Talk）スイッチ２７とモニターキー２８が含まれている。
【００３２】
ＰＴＴスイッチ２７を押す（オンにする）と、送受切替部１６が送信側に切り替わってアンテナ１７から送信が行われ、放す（オフにする）と、送受切替部１６が受信側に切り替わって受信した音声信号の再生が行われる。携帯型の無線機の場合、ＰＴＴスイッチ２７は、無線機本体またはスピーカ付ハンドマイクに搭載されている。
【００３３】
モニターキー２８はチャンネルの使用状況を確認するためのスイッチであり、モニターキー２８を押すと、チャンネルの使用状況に応じて音色の異なる音声がスピーカ１２から出力される。携帯型の無線機の場合、モニターキー２８はＰＴＴスイッチ２７と共に、無線機本体またはスピーカ付ハンドマイクに搭載されている。モニターキー２８の操作方法については、後に表１および図３のフローチャートに基づいて詳述する。
【００３４】
表示部２９は液晶ディスプレイ等で構成され、種々のデータやメッセージを表示するのに用いられる。表示部２９には、無線機１が無線信号を受信したこと（呼び出しがあったこと）や、呼び出し元（自局）および呼び出し先(相手局)のＩＤ情報等が表示される。更に、パケット化データに自局宛のメッセージが含まれている場合は、そのメッセージが表示される。
【００３５】
音声信号発生器３０は、コントローラ２１の指示に従って異なる音色の音声信号を生成し、ＡＦ増幅器１３に出力する。
【００３６】
なお、コントローラ２１のＲＯＭ２３に、あらかじめ音声信号を発生させるプログラムを格納しておき、ＲＯＭ２３から読み出されたプログラムをＣＰＵ２２で実行することにより、音声信号発生器３０と同様の機能を実現するようにしてもよい。このような構成とすれば、音声信号発生器３０を別途設ける必要がないため、無線機のコストダウンが図れる。
【００３７】
＜パケットの構成＞
次に、図２を参照して、送信部１５で生成されるパケットの構成を説明する。パケットの構成は、デジタル無線システムにおいて一連のデータをどのような順番でどのようにまとめて送信するかを示したものである。
【００３８】
パケットＰａは、ヘッダ部Ｐｈとデータ部Ｐｄとで構成されている。ヘッダ部Ｐｈには、同期信号ｈ１、データ種別情報ｈ２およびＩＤ情報ｈ３が含まれている。
【００３９】
同期信号ｈ１は入力信号の同期をとり、またこれより信号であることを表す信号である。データ種別情報ｈ２は、データ部Ｐｄに含まれるデータの種類、すなわち音声データであるかパケット化データであるかを示している。ＩＤ情報ｈ３は、送信する相手局すなわち呼び出し先の無線機のＩＤ、および自局の無線機すなわち呼び出し元の無線機のＩＤを示している。データ部Ｐｄには、音声データまたはパケット化データのいずれかが含まれる。
【００４０】
＜無線機の交信動作＞
次に、図１および図２を参照して、デジタル無線システムにおける交信動作を説明する。
【００４１】
ユーザは交信に先立ち、無線機１の操作部２６を操作して、各チャンネルに対応した周波数のデータと、交信に必要な情報、例えば呼び出し元（自局）のＩＤを不揮発性メモリ２５に格納しておく。
【００４２】
最初に、ユーザは無線機１の操作部２６を操作し、使用するチャンネルを選択すると共に、呼び出し先の無線機１に予め割り当てられたＩＤを指定した後、呼び出しを指示する。
【００４３】
操作部２６から入力された情報はコントローラ２１に通知される。コントローラ２１は、不揮発性メモリ２５から選択されたチャンネルの周波数を読み出し、送信部１５と受信部１８に送信して送信周波数と受信周波数を設定する。
【００４４】
操作部２６から入力された呼び出し先のＩＤおよび不揮発性メモリ２５から読み出された呼び出し元のＩＤは、コントローラ２１を介して送信部１５に送信され、送信部１５でこれらのＩＤを含む送信用のパケットが生成される。図２に示すようにパケットＰａのヘッダ部Ｐｈには、呼び出し先（相手局）のＩＤおよび呼び出し元（自局）のＩＤを示すＩＤ情報ｈ３が含まれている。
【００４５】
送信部１５で生成され、高周波信号に変換されたパケットは、送受切替部１６およびアンテナ１７を介して無線信号に変換され送信される。無線機１から送信された無線信号は呼び出し先の無線機１に到達する。
【００４６】
無線機１で受信した無線信号は、アンテナ１７および送受切替部１６を介して受信部１８に供給され、受信部１８で復調されてパケットが再生される。更に、受信部１８で再生されたパケットＰａからヘッダ部Ｐｈが取り除かれ、データ部Ｐｄの内容に応じて音声コーデック１４、インターフェース部１９またはコントローラ２１に供給される。
【００４７】
音声コーデック１４に供給された音声データは復号化され、さらにアナログの音声信号に変換されてＡＦ増幅器１３に供給される。ＡＦ増幅器１３で増幅された音声信号はスピーカ１２から出力され、呼び出し元のユーザの声が再生される。
【００４８】
また受信部１８で再生されたパケットＰａは、コントローラ２１に供給される。コントローラ２１のＣＰＵ２２は、ＥＣＣ（Error Check Code）チェックなどにより、受信したパケットＰａが有効なパケットであるか否かを判別する。
【００４９】
ＣＰＵ２２は、有効と判別されたパケットＰａのヘッダ部ＰｈのデータをＲＡＭ２４に格納すると共に、ヘッダ部Ｐｈの情報を解析する。ＣＰＵ２２は、解析結果に基づいて、受信したパケットＰａの呼び出し先ＩＤや呼び出し元ＩＤを表示部２９に表示する。
【００５０】
＜チャンネルの使用状況に応じて異なる音声を出力させる手順＞
次に、表１および図３を参照して、チャンネルの使用状況に応じてスピーカ１２から異なる音声を出力させる際の手順について説明する。
【００５１】
本発明では、任意のチャンネルが使用されているか否か、また使用されている場合にパケットＰａに音声データ／パケット化データのいずれが含まれているかによって、スピーカ１２から出力される音声の音色を変えることにより、チャンネルの使用状況を聴覚的に確認できるようにしている。
【００５２】
表１は、チャンネルの使用状況およびパケットに含まれるデータの種類と、スピーカから出力される音声との関係を示したものである。ユーザが操作部２６のモニターキー２８を押すと、チャンネルの使用状況とパケットに含まれるデータの種類に応じて、スピーカ１２から異なる音声が出力される。
【００５３】
【表１】
2013098684.tif 000003
【００５４】
表１の１行目に示すように、チャンネルが使用中であり、かつパケットＰａのデータ部Ｐｄに音声データが含まれている場合には、送り出し元の無線機１から送信された音声がスピーカ１２から出力される。従って、ユーザはそのチャンネルが使用中であり、音声通信が行われていることを確認できる。
【００５５】
表１の２行目に示すように、無線チャンネルが使用中であり、かつパケットＰａのデータ部Ｐｄにパケット化データが含まれている場合には、スピーカ１２からビープ音（例えば「ピーピーピー」）が出力される。従って、ユーザはそのチャンネルが使用中であり、かつデータ通信が行われていることを確認できる。
【００５６】
表１の３行目に示すように、チャンネルが使用されていない場合には、擬似ランダム音がスピーカ１２から出力される。従って、ユーザはそのチャンネルが使用されていないことを確認できる。
【００５７】
次に、図３のフローチャートを参照して、チャンネルの使用状況に応じてスピーカ１２から出力される音声の音色を変える際の手順を説明する。
【００５８】
最初に、ユーザはパケットの受信を確認する（ステップＳ１）。具体的には、操作部２６から選択したチャンネルの番号を入力すると、その信号を受けたコントローラ２１は、不揮発性メモリ２５からそのチャンネルに対応した周波数を読み出して受信部１８に送信し、受信周波数を変更する。
【００５９】
コントローラ２１は、パケットＰａを受信していれば、受信部１８で再生されたパケットＰａのデータをＲＡＭ２４に格納する。コントローラ２１は、パケットＰａのヘッダ部Ｐｈに含まれる同期信号ｈ１の有無により無線信号を受信したか否かを確認する。同期信号ｈ１を検出しない場合には、無線信号を受信していない、すなわちそのチャンネルが使用されていないと判断する。
【００６０】
コントローラ２１がヘッダ部Ｐｈの同期信号ｈ１を検出できない、すなわちパケットを受信せず（ステップＳ２でＮｏ）、かつユーザがモニターキー２８を押さない場合（ステップＳ３においてＮｏ）には、スピーカ１２から音声は出力されない（ステップＳ４）。
【００６１】
一方、パケットを受信しない状態（ステップＳ２でＮｏ）において、ユーザがモニターキー２８を押した場合（ステップＳ３においてＹｅｓ）、モニターキー２８が押されたことを示す信号が、コントローラ２１に通知される。
【００６２】
この通知を受けたコントローラ２１は、音声信号発生器３０に擬似ランダム音の出力を指示する（ステップＳ５）。コントローラ２１の指示に従って音声信号発生器３０で擬似ランダム音の音声信号が生成され、ＡＦ増幅器１３に供給されて、スピーカ１２から擬似ランダム音が出力される。
【００６３】
ステップＳ２においてパケットを受信中の場合（Ｙｅｓ）、コントローラ２１はＲＡＭ２４に格納されたパケットＰａを読み出して、ヘッダ部Ｐｈの情報を解析する（ステップＳ６）。
【００６４】
ヘッダ部ＰｈのＩＤ情報ｈ３の解析からパケットＰａが自局宛である場合（ステップＳ７においてＹｅｓ）、受信部１８でパケットＰａから取り出されたデータが音声コーデック１４、インターフェース部１９またはコントローラ２１に出力される。
【００６５】
音声コーデック１４に供給された音声データは復号化され、さらにアナログの音声信号に変換された後、スピーカ１２から呼び出し元のユーザの声が再生される（ステップＳ８）。一方、インターフェース部１９に供給されたパケット化データは端子２０から外部機器に出力される。この場合、スピーカ１２から音声は出力されない（ステップＳ８）。なお、パケット化データに自局宛のメッセージが含まれている場合、パケット化データはコントローラ２１で処理され、メッセージが表示部１２に表示される。この場合も、スピーカ１２から音声は出力されない。
【００６６】
パケットＰａが自局宛でない場合（ステップＳ７においてＮｏ）で、かつユーザがモニターキー２８を押さない場合（ステップＳ９においてＮｏ）には、スピーカから音声は何も出力されない（ステップＳ４）。
【００６７】
これに対し、パケットＰａが自局宛でない場合（ステップＳ７においてＮｏ）において、ユーザがモニターキー２８を押した場合（ステップＳ９でＹｅｓ）、モニターキー２８が押されたことを示す信号が、コントローラ２１に通知される。
【００６８】
この通知を受けたコントローラ２１は、パケットＰａのヘッダ部Ｐｈの解析結果に基づいて、データ部Ｐｄに音声データが含まれている場合には（ステップＳ１０においてＹｅｓ）、音声コーデック１４で復号化され、さらにアナログの音声信号に変換された音声信号をスピーカ１２から出力する（ステップＳ１１）。
【００６９】
一方、データ部Ｐｄにパケット化データが含まれている場合には（ステップＳ１０においてＮｏ）、コントローラ２１は、音声信号発生器３０にビープ音の出力を指示する（ステップＳ１２）。コントローラ２１の指示に従って音声信号発生器３０でビープ音の音色の音声信号が生成され、ＡＦ増幅器１３に供給されて、スピーカ１２からビープ音が出力される。
【００７０】
上述したように、選択した任意のチャンネルにおいて、チャンネルの使用／不使用に応じて、またパケットに含まれるデータの種類に応じて、モニターキー２８が押されたときにスピーカ１２から出力される音声を変えることにより、そのチャンネルの使用状況を、聴覚を通じて簡単に確認できる。結果として、混信の発生を防ぐための確認操作がより容易に行えるようになる。
【００７１】
なお、本実施の形態では、チャンネルが使用されていないときに、スピーカから擬似ランダム音を出力するようにした。これは、アナログの無線機において、同様の場合にスピーカからノイズ音が出力されることから、それに対応させ、ノイズ音に類似した擬似ランダム音を出力するものである。チャンネルが使用されていないことを喚起する音として他の音を用いてもよい、もしくは音を出さないようにしてもよい。同様に、データ通信が行われているときに、スピーカからビープ音を出力する代わりに、他の喚起音を出力するようにしてもよい。
【００７２】
また、本実施の形態のコントローラおよび音声信号発生器の機能をコンピュータに実行させるためのプログラムを記録媒体（例えばＣＤ−ＲＯＭ）に記録して配布したり、ネットワークで配信したりしてもよい。このコンピュータプログラムは、コンピュータの記録媒体に記録されインストールされる。
【符号の説明】
【００７３】
１  無線機
１１  マイク
１２  スピーカ
１３  ＡＦ増幅器
１４  音声コーデック
１５  送信部
１６  送受切替部
１７  アンテナ
１８  受信部
１９  インターフェース部
２１  コントローラ
２２  ＣＰＵ
２３  ＲＯＭ
２４  ＲＡＭ
２５  不揮発性メモリ
２６  操作部
２７  ＰＴＴスイッチ
２８  モニターキー
２９  表示部
３０  音声信号発生器
Ｐａ  パケット
Ｐｈ  ヘッド部
Ｐｄ  データ部
【図１】
2013098684.tif 000004
【図２】
2013098684.tif 000005
【図３】
2013098684.tif 000006